【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
コンピュータのディスプレイ上に表示される文字を認識するための文字認識システムにおいて、
所定の表示フォント及び文字サイズの組み合わせについて、当該表示フォント及び文字サイズを有する各文字の構成ドットの配置に関する情報を有する認識辞書を記録しておく記憶装置と、
前記ディスプレイ上に表示される認識対象文字の画像データを画面キャプチャによりビデオメモリから取得し、当該認識対象文字の構成ドットの配置に関する情報と完全に一致するか否かにより前記認識対象文字の表示フォント及び文字サイズの取得を行うフォントチェック部と、
前記ディスプレイ上に表示される前記認識対象文字の画像データを画面キャプチャにより前記ビデオメモリから取得し、前記認識辞書を参照して前記フォントチェック部が取得した前記認識対象文字の表示フォント及び文字サイズと同一の表示フォント及び文字サイズの組み合わせの認識辞書を用いて、当該認識対象文字の構成ドットの配置に関する情報と完全に一致するか否かにより前記認識対象文字を特定する文字認識部と、
を備えることを特徴とする文字認識システム。
【請求項２】
前記フォントチェック部が取得した前記認識対象文字の表示フォント及び文字サイズと同一の表示フォント及び文字サイズを有する文字を前記ビデオメモリ上に順次表示させながら、各文字の構成ドットの配置に関する情報を取得して前記認識辞書を作成する辞書作成部を備えることを特徴とする請求項１記載の文字認識システム。
【請求項３】
前記記憶装置は、チェック用の文字についてのみ前記コンピュータにインストールされている全てのフォントの全てのサイズに関する構成ドットの配置に関する情報を有するフォントチェック用辞書を記録しており、
前記フォントチェック部は、前記フォントチェック用辞書を参照しながら前記認識対象文字の表示フォント及び文字サイズの取得を行うことを特徴とする請求項１又は２記載の文字認識システム。
【請求項４】
ディスプレイ上に表示される文字をコンピュータに認識させるための文字認識プログラムにおいて、
所定の表示フォント及び文字サイズの組み合わせについて、当該表示フォント及び文字サイズを有する各文字の構成ドットの配置に関する情報を有する認識辞書を作成する認識辞書作成ステップと、
前記ディスプレイ上に表示される認識対象文字の画像データを画面キャプチャによりビデオメモリから取得し、当該認識対象文字の構成ドットの配置に関する情報と完全に一致するか否かにより前記認識対象文字の表示フォント及び文字サイズの取得を行うフォントチェックステップと、
前記ディスプレイ上に表示される前記認識対象文字の画像データを画面キャプチャにより前記ビデオメモリから取得し、前記認識辞書を参照して、前記フォントチェックステップにおいて取得された前記認識対象文字の表示フォント及び文字サイズと同一の表示フォント及び文字サイズの組み合わせの認識辞書を用いて、当該認識対象文字の構成ドットの配置に関する情報と完全に一致するか否かにより前記認識対象文字を特定する文字認識ステップと、
を前記コンピュータに実行させることを特徴とする文字認識プログラム。
【請求項５】
コンピュータのディスプレイ上に表示される文字を認識するための文字認識方法において、
所定の表示フォント及び文字サイズの組み合わせについて、当該表示フォント及び文字サイズを有する各文字の構成ドットの配置に関する情報を有する認識辞書を作成する認識辞書作成工程と、
前記ディスプレイ上に表示される認識対象文字の画像データを画面キャプチャによりビデオメモリから取得し、当該認識対象文字の構成ドットの配置に関する情報と完全に一致するか否かにより前記認識対象文字の表示フォント及び文字サイズの取得を行うフォントチェック工程と、
前記ディスプレイ上に表示される前記認識対象文字の画像データを画面キャプチャにより前記ビデオメモリから取得し、前記認識辞書を参照して、前記フォントチェック工程において取得された前記認識対象文字の表示フォント及び文字サイズと同一の表示フォント及び文字サイズの組み合わせの認識辞書を用いて、当該認識対象文字の構成ドットの配置に関する情報と完全に一致するか否かにより前記認識対象文字を特定する文字認識工程と、
を備えることを特徴とする文字認識方法。
【手続補正２】
【補正対象書類名】明細書
【補正対象項目名】０００７
【補正方法】変更
【補正の内容】
【０００７】
上記課題を解決するために、本発明に係る文字認識システムは、コンピュータのディスプレイ上に表示される文字を認識するための文字認識システムにおいて、所定の表示フォント及び文字サイズの組み合わせについて、当該表示フォント及び文字サイズを有する各文字の構成ドットの配置に関する情報を有する認識辞書を記録しておく記憶装置と、前記ディスプレイ上に表示される認識対象文字の画像データを画面キャプチャによりビデオメモリから取得し、当該認識対象文字の構成ドットの配置に関する情報と完全に一致するか否かにより前記認識対象文字の表示フォント及び文字サイズの取得を行うフォントチェック部と、前記ディスプレイ上に表示される前記認識対象文字の画像データを画面キャプチャにより前記ビデオメモリから取得し、前記認識辞書を参照して前記フォントチェック部が取得した前記認識対象文字の表示フォント及び文字サイズと同一の表示フォント及び文字サイズの組み合わせの認識辞書を用いて、当該認識対象文字の構成ドットの配置に関する情報と完全に一致するか否かにより前記認識対象文字を特定する文字認識部と、を備えることを特徴とする。
【手続補正３】
【補正対象書類名】明細書
【補正対象項目名】０００８
【補正方法】変更
【補正の内容】
【０００８】
また、本発明に係る文字認識プログラムは、ディスプレイ上に表示される文字をコンピュータに認識させるための文字認識プログラムにおいて、所定の表示フォント及び文字サイズの組み合わせについて、当該表示フォント及び文字サイズを有する各文字の構成ドットの配置に関する情報を有する認識辞書を作成する認識辞書作成ステップと、前記ディスプレイ上に表示される認識対象文字の画像データを画面キャプチャによりビデオメモリから取得し、当該認識対象文字の構成ドットの配置に関する情報と完全に一致するか否かにより前記認識対象文字の表示フォント及び文字サイズの取得を行うフォントチェックステップと、前記ディスプレイ上に表示される前記認識対象文字の画像データを画面キャプチャにより前記ビデオメモリから取得し、前記認識辞書を参照して、前記フォントチェックステップにおいて取得された前記認識対象文字の表示フォント及び文字サイズと同一の表示フォント及び文字サイズの組み合わせの認識辞書を用いて、当該認識対象文字の構成ドットの配置に関する情報と完全に一致するか否かにより前記認識対象文字を特定する文字認識ステップと、を前記コンピュータに実行させることを特徴とする。
【手続補正４】
【補正対象書類名】明細書
【補正対象項目名】０００９
【補正方法】変更
【補正の内容】
【０００９】
また、本発明に係る文字認識方法は、コンピュータのディスプレイ上に表示される文字を認識するための文字認識方法において、所定の表示フォント及び文字サイズの組み合わせについて、当該表示フォント及び文字サイズを有する各文字の構成ドットの配置に関する情報を有する認識辞書を作成する認識辞書作成工程と、前記ディスプレイ上に表示される認識対象文字の画像データを画面キャプチャによりビデオメモリから取得し、当該認識対象文字の構成ドットの配置に関する情報と完全に一致するか否かにより前記認識対象文字の表示フォント及び文字サイズの取得を行うフォントチェック工程と、前記ディスプレイ上に表示される前記認識対象文字の画像データを画面キャプチャにより前記ビデオメモリから取得し、前記認識辞書を参照して、前記フォントチェック工程において取得された前記認識対象文字の表示フォント及び文字サイズと同一の表示フォント及び文字サイズの組み合わせの認識辞書を用いて、当該認識対象文字の構成ドットの配置に関する情報と完全に一致するか否かにより前記認識対象文字を特定する文字認識工程と、を備えることを特徴とする。
【手続補正５】
【補正対象書類名】明細書
【補正対象項目名】００４７
【補正方法】変更
【補正の内容】
【００４７】
本実施形態に係る認識対象文字は、コンピュータのディスプレイ３０（ビデオメモリ１２５）上に表示される文字であり、紙に印刷された文字のように汚れたり欠けたりすることがないため、ドットの配置情報に基づけば、確実に文字を特定することが可能である。
【手続補正６】
【補正対象書類名】明細書
【補正対象項目名】００５０
【補正方法】変更
【補正の内容】
【００５０】
続いて、本実施形態の変形例について説明する。まず、ディスプレイ３０上の表示文字がアンチエイリアス処理されている文字の場合には、上述したフォントチェック、認識辞書の作成、文字認識等の処理を行う前に、文字の画像データから指定彩度以外、指定明度以外のドットを同じ基準で減算するようすれば、アンチエイリアス処理の影響を除外した文字認識を行うことが可能である。